(57)【要約】【課題】基地局の機能停止等の非常時に位置情報を通知できる等、携帯電話機等の携帯端末装置の通信機能を拡大することにある。【解決手段】基地局（２４）から送信される基地局電波が受信できない場合を契機に、基地局を媒介としない通信として、ＧＰＳ信号から取得したタイミング信号（Ｔｓ）を用いて送信側の位置情報を送信又は受信することにより、送信側の位置を通知する構成である。斯かる構成によれば、地震等により基地局の機能が停止した場合や、圏外エリアに携帯端末装置（例えば、携帯電話機２Ａ、２Ｂ）がある場合、その位置を他の携帯電話機等の携帯端末装置に通知でき、遭難者や被災者等の探索や迅速な救援の一助となる。【選択図】図１
2010135908.tif 000002
【特許請求の範囲】
【請求項１】
基地局を媒介とした電話機能を備える携帯端末装置であって、
ＧＰＳ（Global Positioning System ）信号を受信するＧＰＳ受信手段と、
基地局電波の受信不能状態を検知する基地局電波検知手段と、
前記基地局電波の受信不能状態を検知したことに基づき、前記ＧＰＳ信号から取得したタイミング信号を用いて送信側の位置情報を送信し又は受信する通信手段と、
を備えることを特徴とする携帯端末装置。
【請求項２】
前記通信手段は、前記タイミング信号を複数の特定パターンで拡散する拡散手段を備えることを特徴とする請求項１記載の携帯端末装置。
【請求項３】
前記通信手段は、前記位置情報と前記携帯端末装置を表す識別情報とを送信情報とすることを特徴とする請求項１記載の携帯端末装置。
【請求項４】
基地局を媒介とした電話機能を備える携帯端末装置を用いた位置通知方法であって、
ＧＰＳ信号を受信するステップと、
基地局電波の受信不能状態を検知するステップと、
前記基地局電波の受信不能状態を検知したことに基づき、前記ＧＰＳ信号から取得したタイミング信号を用いて送信側の位置情報を送信し又は受信するステップと、
を含むことを特徴とする位置通知方法。
【請求項５】
基地局を媒介とした電話機能を備え、コンピュータを搭載した携帯端末装置を用いる位置通知プログラムであって、
ＧＰＳ信号の受信を実行させる機能と、
基地局電波の受信不能状態の検知を実行させる機能と、
前記基地局電波の受信不能状態を検知したことに基づき、前記ＧＰＳ信号から取得したタイミング信号を用いて送信側の位置情報を送信又は受信を実行させる機能と、
を前記コンピュータに実行させることを特徴とする位置通知プログラム。
【発明の詳細な説明】
【技術分野】
【０００１】
本発明は、携帯電話機等の携帯端末装置に関する。例えば、基地局の機能停止等の非常時、基地局を媒介させないで位置情報の送受信が行える携帯端末装置、位置通知方法及び位置通知プログラムに関する。
【背景技術】
【０００２】
携帯電話機等の携帯端末装置では、地震等で基地局の機能が停止すると、基地局を媒介とする電話の送受信機能が損なわれ、遭難者が携帯電話機を所有していても、遭難位置を通知することができない。また、基地局が機能を停止していない場合であっても、基地局との通信可能圏以外のエリア（圏外エリア）では同様に通信をすることができない。
【０００３】
このような緊急通信に関し、圏外エリアで携帯電話機が緊急発呼した場合、圏外にある携帯電話機から発信動作ができないため、その緊急発呼を保留し、圏内になった時点で緊急発呼する方式が知られている（特許文献１）。これでは緊急性に欠ける。
【０００４】
また、圏外エリアにある別の携帯電話機と直接に近距離無線通信を行うことにより、圏内の携帯電話機との通信を行うことが知られている（特許文献２）。
【特許文献１】特開２００３−１６９１６５号公報
【特許文献２】特開２００８−０７８８８１号公報
【発明の開示】
【発明が解決しようとする課題】
【０００５】
ところで、基地局を媒介とする通話では、基地局の圏内エリアに携帯電話機が存在することが必要であり、緊急発呼の場合であっても例外ではない。地震災害等で基地局の機能が停止した場合には、携帯電話機が正常であっても、通信をすることができない。このため、遭難者、被災した建物等に閉じ込められている被災者、その救護者等が携帯電話機を所有していても緊急通信を行うことができず、また、その位置を特定できない等、必要な救援活動ができない。
【０００６】
また、遭難信号の発信装置は、船舶等、遭難のおそれのある場所に設置されており、一般人が日常的に携帯することができないし、遭難信号の捜索用受信機を日常的に持ち歩くことも不可能である。このため、地震や事故等で基地局が機能を停止しても、被災者や遭難者等の救護等の緊急時には、ユーザが日常的に携帯する携帯電話機等の携帯端末装置が持つ送受信機能を活用できること、携帯端末装置に対する多機能化が要請されている。
【０００７】
斯かる要求や課題について、特許文献１、２にはその開示や示唆はなく、それを解決する構成等についての開示や示唆はない。
【０００８】
そこで、本開示の携帯端末装置、位置通知方法又は位置通知プログラムの目的は、基地局の機能停止等の非常時に位置情報を通知できる等、携帯電話機等の携帯端末装置の通信機能を拡大することにある。
【０００９】
また、本開示の携帯端末装置、位置通知方法又は位置通知プログラムの他の目的は、基地局電波を受信できない圏外エリアで、位置情報を通知できる等、携帯電話機等の携帯端末装置の通信機能を拡大することにある。
【００１０】
また、本開示の携帯端末装置、位置通知方法又は位置通知プログラムの他の目的は、基地局の機能停止等の非常時、被災者、遭難者等の位置を表す位置情報の通報等、位置探索や、緊急通信を可能にすることにある。
【課題を解決するための手段】
【００１１】
上記目的を達成するため、本開示の携帯端末装置、位置通知方法又は位置通知プログラムは、基地局から送信される基地局電波が受信できない場合を契機に、基地局を媒介としない通信として、ＧＰＳ信号から取得したタイミング信号を用いて送信側の位置情報を送信又は受信することにより、送信側の位置を通知する構成である。斯かる構成によれば、地震等により基地局の機能が停止した場合や、圏外エリアに携帯端末装置がある場合、その位置を他の携帯電話機等の携帯端末装置に通知でき、遭難者や被災者等の探索や迅速な救援の一助となる。送信側の位置情報は例えば、ＧＰＳにより取得すればよい。
【００１２】
そこで、上記目的を達成するため、本開示の携帯端末装置は、基地局を媒介とした電話機能を備える携帯端末装置であって、ＧＰＳ信号を受信するＧＰＳ受信手段と、基地局電波の受信不能状態を検知する基地局電波検知手段と、前記基地局電波の受信不能状態を検知したことに基づき、前記ＧＰＳ信号から取得したタイミング信号を用いて送信側の位置情報を送信し又は受信する通信手段とを備えることである。
【００１３】
斯かる構成によれば、基地局電波を受信できない受信不能状態に陥った場合、即ち、地震により基地局の機能が損なわれた場合、又は、基地局電波が受信できない圏外エリアに送信側が存在する場合には、その基地局電波の受信不能状態を契機に、ＧＰＳ信号から得たタイミング信号を用いて送信側の位置情報を送信し又は受信するので、基地局を媒介としない通信により、送信側の位置を他の携帯端末装置に通知することができ、上記目的が達成される。
【００１４】
また、上記目的を達成するため、本開示の位置通知方法は、基地局を媒介とした電話機能を備える携帯端末装置を用いた位置通知方法であって、ＧＰＳ信号を受信するステップと、基地局電波の受信不能状態を検知するステップと、前記基地局電波の受信不能状態を検知したことに基づき、前記ＧＰＳ信号から取得したタイミング信号を用いて送信側の位置情報を送信し又は受信するステップとを含むことである。斯かる構成によっても、上記目的が達成される。
【００１５】
また、上記目的を達成するため、本開示の位置通知プログラムは、基地局を媒介とした電話機能を備え、コンピュータを搭載した携帯端末装置を用いる位置通知プログラムであって、ＧＰＳ信号の受信を実行させる機能と、基地局電波の受信不能状態の検知を実行させる機能と、前記基地局電波の受信不能状態を検知したことに基づき、前記ＧＰＳ信号から取得したタイミング信号を用いて送信側の位置情報を送信又は受信を実行させる機能とを前記コンピュータに実行させることである。斯かる構成によっても、上記目的が達成される。
【発明の効果】
【００１６】
本開示の携帯端末装置、位置通知方法又は位置通知プログラムによれば、次のような効果が得られる。
【００１７】
(1) 携帯電話機等の携帯端末装置の通信機能を拡大することができ、基地局電波を受信できない受信不能状態に陥った場合として、例えば、地震により基地局の機能が損なわれた場合等、その基地局電波の受信不能状態を契機にして、ＧＰＳ信号から取得したタイミング信号を用いて送信側の位置情報を送信し又は受信することができ、即ち、基地局を媒介としない送受信により、送信側の位置を他の携帯端末装置に通知することができ、基地局の機能停止等の非常時に位置情報を通知できる。
【００１８】
(2) 基地局電波を受信できない圏外エリアで、位置情報を通知できる等、携帯電話機等の携帯端末装置の通信機能を拡大することができ、基地局電波を受信できない圏外エリアに送信側が存在する場合等においても、その基地局電波の受信不能状態を契機にして、ＧＰＳ信号から取得したタイミング信号を用いて基地局を媒介としない送受信により、送信側の位置を他の携帯端末装置に通知することができる。
【００１９】
(3) 携帯端末装置の通信機能の拡大により、基地局の機能停止等の非常時、被災者、遭難者等の位置を表す位置情報の通報等、位置探索や、緊急通信の迅速化を図ることができ、遭難者や被災者等の探索や迅速な救援に貢献することができる。
【００２０】
そして、本発明の他の目的、特徴及び利点は、添付図面及び各実施の形態を参照することにより、一層明確になるであろう。
【発明を実施するための最良の形態】
【００２１】
〔第１の実施の形態〕
【００２２】
第１の実施の形態について、図１及び図２を参照する。図１は、第１の実施の形態に係るＧＰＳ信号、送信信号及び受信信号を示す図、図２は、遭難位置通知機能部の構成例を示す図である。図１及び図２に示す構成は一例であって、斯かる構成に本発明が限定されるものではない。
【００２３】
ＧＰＳ（Global Positioning System ）衛星から送信されたＧＰＳ信号には、図１のＡに示すように、一定の時間間隔で送信される基準タイミングであるタイミング信号Ｔｓが含まれている。このＧＰＳ信号は、ＧＰＳ受信機能を備える携帯端末装置として例えば、携帯電話機で受信することができる。ＧＰＳは、ＧＰＳ衛星からの電波を用いた測位手段の一例である。
【００２４】
そこで、無線信号として、アッパーリンクとダウンリンクの双方で使うことができる、共通（又は共用）チャネル信号Ｃｓを送受信に用いれば、基地局を媒介としないで無線通信を行うことができる。図１のＢに示すように、送信側の携帯電話機２Ａが、タイミング信号Ｔｓに同期する共通チャネル信号Ｃｓを用いた送信信号を発信すれば、図１のＣに示すように、その送信信号は受信側の携帯電話機２Ｂで同様のタイミング信号Ｔｓを用いて受信することができる。この場合、共通チャネル信号Ｃｓの周波数は共通周波数ｆ0 である。即ち、送信信号を用いて携帯電話機２Ａから携帯電話機２Ｂに情報を送信し、携帯電話機２Ｂでその情報を取得することができる。
【００２５】
斯かる構成では、携帯電話機２Ａと携帯電話機２Ｂとが共通チャネル信号Ｃｓを用いて情報を送受信でき、ＧＰＳ信号が正常に受信できたことを契機に位置情報の携帯電話機２Ａ、２Ｂ間の送受信、即ち、基地局を媒介としない無線通信を確立することができる。即ち、送信信号で送信すべき情報として遭難位置を表す位置情報を送信信号に変調により重畳させれば、基地局の機能が停止している場合等の非常時において、基地局を媒介としない通知システムを構成し、遭難位置の通知機能を得ることができる。
【００２６】
そこで、遭難位置を通知するための送信信号を発信させるための遭難位置通知機能部４Ａでは、図２に示すように、変換部６と、拡散パターン生成部８と、送信データ生成部１０とを備え、送信データ生成部１０の出力が拡散変調部１２に加えられる。この場合、送信すべき情報が例えば、加入者番号１４と位置情報１６とする。
【００２７】
変換部６は、データ変換手段の一例であって、加入者番号１４をパターンデータに変換する。加入者番号１４が数桁の数字であれば、変換式として例えば、除算式を使用し、加入者番号１４を２５６（＝２8 ）で除算し、その余りを求める。
【００２８】
拡散パターン生成部８は加入者番号１４を用いた拡散パターンの生成手段であって、加入者番号１４から変換部６で求めた既述の余りにより拡散パターンを生成させる。送信データ生成部１０は、遭難位置を表す位置情報等の送信データ生成手段であって、加入者番号１４と位置情報１６とによって送信データを生成させる。
【００２９】
そして、拡散変調部１２は、搬送信号の拡散変調手段であって、既述の通り、生成された送信データと拡散パターンとが加えられ、共通チャネル信号の拡散変調処理により送信信号１８が生成される。
【００３０】
〔第２の実施の形態〕
【００３１】
次に、第２の実施の形態について、図３を参照する。図３は、第２の実施の形態に係る位置通知システムを示す図である。図３に示す構成は一例であって、斯かる構成に本発明が限定されるものではない。図３において、図１及び図２と同一部分には同一符号を付してある。
【００３２】
この位置通知システム２０では、携帯端末装置が持つＧＰＳ受信機能と、無線通信機能とを用いることにより、基地局の機能が停止している場合又は圏外エリアの場合であっても、携帯端末装置の位置情報を通知するシステムである。
【００３３】
各携帯電話機２Ａ、２Ｂは、複数の携帯端末装置の一例であって、ＧＰＳ受信機能を備えるとともに、遭難位置通知等の位置情報通知機能を備えている。この位置情報通知機能は、ユーザの遭難位置を通知する通知機能であって、基地局２４との通信可能圏以外のエリア（圏外エリア）又は基地局２４の機能が停止している状態でも、携帯電話通信を可能にし、その位置を通知する機能（手段）である。この場合、遭難位置を通知するための媒体信号として新しい無線信号を創成する。この場合、例えば、ＧＰＳのアッパーリンクとダウンリンクの双方で使うことができる共通チャネル信号Ｃｓ（図１のＢ、Ｃ）を無線信号に使用し、その信号を特定のパターンとして例えば、既述の２５６種類のパターンで拡散することにより、基地局２４を媒介としないで、同一の基準タイミング（タイミング信号Ｔｓ）で位置情報を送信し、それを受信側で峻別可能にしたものである。即ち、複数の遭難者が同一基準タイミングでの遭難位置通知等の位置情報通知を送信しても、受信側でフィルタリングすることにより、複数の携帯電話機から送信される位置情報が混信することなく、各携帯電話機２Ａ、２Ｂの位置等を特定することができる。
【００３４】
各携帯電話機２Ａ、２Ｂは図３に示すように、ＧＰＳ受信機２６と、無線部２８と、遭難位置通知機能部４Ｂと、表示部３０とを備えている。ＧＰＳ受信機２６は、ＧＰＳ衛星２２から位置情報であるＧＰＳ信号をアンテナ３２により受信する受信手段であって、受信したＧＰＳ信号には測位情報とともに共通チャネル信号が含まれる。即ち、ＧＰＳ受信機２６は共通チャネル信号Ｃｓの受信手段を構成する。
【００３５】
無線部２８は、アンテナ３２により基地局２４と電波を用いて通信する通信手段であるとともに、基地局２４の機能が停止した場合等の一定条件が成立した場合には、既述の共通チャネル信号Ｃｓを用いて携帯電話機２Ａ、２Ｂ間の他、他の携帯電話機等の携帯端末装置との通信を行うことができる通信手段である。この無線部２８は、拡散パターン処理、通信制御等が後述の無線制御部４０（図４）によって制御される。即ち、無線部２８は、無線制御部４０（図４）に設定された拡散パターンにより、ＧＰＳの基準タイミング（例えば、時刻が丁度０秒に戻るとき）に合わせて、共通チャネル信号を使って送信データを携帯電話機２Ｂの他、携帯電話機に向けて送信する。アンテナ３２は、ＧＰＳ受信用アンテナと電話通信用アンテナを共用してもよく、別個に設置してもよい。
【００３６】
遭難位置通知機能部４Ｂは、既述の遭難位置通知機能部４Ａ（図２）に対応する遭難位置情報を生成する手段であって、基地局２４の機能が停止した場合で、ＧＰＳ信号を正常に受信できることを条件に、送信側が例えば、携帯電話機２Ａであれば、取得又は特定された位置情報を含む送信データを生成するとともに、識別情報等の特定情報を用いて拡散パターンを求め、既述の共通チャネル信号を用いて無線部２８から送信させる。この場合、遭難位置通知機能部４Ｂが送信機能を備えてもよい。
【００３７】
表示部３０は、送信データ又は受信データ等の表示手段であって、送信側の携帯電話機２Ａではその送信データの表示、受信側の携帯電話機２Ｂでは、ユーザによるモード設定で遭難者探索モードに変更することにより、ＧＰＳ受信が正常に受信できたことを契機に受信データの表示をする。
【００３８】
このような構成によれば、基地局２４の機能が停止している状態にあっても、携帯電話機２Ａ、２Ｂ間では、携帯電話機の送信・受信機能を用いて、携帯電話機を所有する同士で遭難者の位置等の探索をすることができ、拡散信号を用いた遭難位置の通知や探索が行える。
【００３９】
この実施の形態では、携帯電話機２Ａ及び携帯電話機２Ｂが共に基地局２４の機能停止により電波を受信できない状態にあるが、携帯電話機２Ｂが他の基地局の電波を受信できる状態であってもよい。
【００４０】
次に、遭難位置通知機能部４Ｂについて、図４及び図５を参照する。図４は、遭難位置通知機能部の構成例を示す図、図５は、メモリの構成例を示す図である。図４及び図５に示す構成は一例であって、斯かる構成に本発明が限定されるものではない。図４において、図２、図３と同一部分には同一符号を付してある。
【００４１】
この遭難位置通知機能部４Ｂは既述の通り、基地局２４の機能が停止した場合等の一定条件が成立した場合、取得又は特定された位置情報を含む送信データを生成し、無線部２８を通じて送信データを送信する手段であって、図４に示すように、ＧＰＳ受信部３４と、圏外位置通知部３６と、モード判定部３８と、無線制御部４０と、表示制御部４２とを備えている。
【００４２】
ＧＰＳ受信部３４は、ＧＰＳ受信機２６で受信されるＧＰＳ信号から共通チャネル信号を抽出し、この共通チャネル信号Ｃｓをタイミング信号Ｔｓ（図１）とする信号処理手段である。
【００４３】
圏外位置通知部３６は、基地局２４の基地局電波が受信不能状態にあるか否かを検知する基地局電波検知手段の一例であって、基地局２４から送信される電波を無線部２８で受信できるか否かにより、携帯電話機２Ａ又は２Ｂが圏外位置にあるか否かを判定するとともに、圏外位置にある場合にその判定出力を通知する手段であって、基地局２４の機能が停止する等、基地局２４から電波が受信できない状態になった場合、基地局２４の圏外にあることを感知して圏外位置通知信号を生成するとともに、位置情報を含む送信データを生成する。
【００４４】
モード判定部３８は、モード設定入力部４４による設定入力により、圏外位置情報通知モードか否かを判定する。通常、圏外位置情報通知モードに設定する。モード設定入力部４４は、スライドスイッチ等で構成され、ユーザによるモード設定手段である。また、受信側を携帯電話機２Ｂとすれば、携帯電話機２Ｂではユーザ設定により、遭難者探索モードが設定される。
【００４５】
無線制御部４０は、無線部２８の制御手段である。送信側の携帯電話機２Ａの無線制御部４０では、ＧＰＳ信号の基準タイミング（送信側と同じタイミング）で共通チャネル信号をＧＰＳ受信部３４で受信後、既述の拡散パターンを使って拡散を行い、送信側の加入者番号１４と位置情報１６を含む送信信号１８を無線部２８に発信させる。受信側の携帯電話機２Ｂの無線制御部４０では、同様に、ＧＰＳ信号の基準タイミングで共通チャネル信号をＧＰＳ受信部３４で受信後、拡散パターンを使って逆拡散を行い、送信側の加入者番号１４と位置情報１６を含む送信信号１８を無線部２８より受信し、送信側の加入者番号１４と位置情報１６を再生する。
【００４６】
表示制御部４２は、表示部３０の制御手段であって、送信側の携帯電話機２Ａではその送信データを表示部３０に表示させ、又は、受信側の携帯電話機２Ｂでは、既述のユーザによるモード設定で遭難者探索モードに変更することにより、ＧＰＳ受信が正常に受信できたことを契機に、受信データを表示させる。
【００４７】
このような遭難位置通知機能部４Ｂの制御手段としてＣＰＵ（Central Processing Unit ）４６が設置され、このＣＰＵ４６による遭難位置通知機能部４Ｂの制御は、メモリ４８に格納されている制御プログラムにより実行される。
【００４８】
メモリ４８は、プログラムやデータ又はワークエリアを構成する記憶手段であって、図５に示すように、プログラム記憶部５０と、データ記憶部５２と、ＲＡＭ（Random-Access Memory）５４とを備えている。プログラム記憶部５０は、ＯＳ（Operating System）や遭難位置等の位置情報を通知する通知手段としての制御プログラム等の各種のプログラムを記憶する記憶手段であって、記録媒体で構成される。データ記憶部５２は、加入者番号、位置情報、拡散パターン等の各種のデータを記憶する記憶手段であって、記録媒体で構成される。ＲＡＭ５４は、ワークエリアとして構成される。
【００４９】
次に、位置情報通知の処理について、図６及び図７を参照する。図６は、送信側携帯電話機の位置情報通知の処理手順を示すフローチャート、図７は、受信側携帯電話機の位置情報通知の処理手順を示すフローチャートである。図６及び図７に示す処理は一例であって、斯かる処理に本発明が限定されるものではない。
【００５０】
これらの位置情報通知の処理手順は、位置通知方法又は位置通知プログラムの一例であって、携帯電話機２Ａと携帯電話機２Ｂとの遭難位置等の位置情報通知の送受信における処理手順である。
【００５１】
携帯電話機２Ａを送信側とすれば、位置情報通知の処理手順は、図６に示すように、位置情報通知モードに移行すると、圏外か否かを判定し（ステップＳ１１）、圏外でなければ（ステップＳ１１のＮＯ）、位置情報通知モードを終了し、圏外であれば（ステップＳ１１のＹＥＳ）、ＧＰＳ受信が正常であるか否かを判定する（ステップＳ１２）。
【００５２】
ＧＰＳ受信が異常であれば、この処理を終了し、正常であれば、受信したＧＰＳ信号から位置情報を取得する（ステップＳ１３）。このＧＰＳ信号の受信を契機に、送信データの生成を行い（ステップＳ１４）、この送信データは既述の通り、加入者番号と位置情報とから生成される。この送信データの生成の後、拡散パターンを設定し（ステップＳ１５）、送信タイミングの到来を判定する（ステップＳ１６）。
【００５３】
送信タイミングが到来すれば（ステップＳ１６のＹＥＳ）、共通チャネル信号を用いることにより、共通チャネル送信を行う（ステップＳ１７）。この共通チャネル送信は、送信タイミングの到来の度に繰り返し実行し、これにより、例えば、遭難者の位置を連続的に送信する。
【００５４】
また、携帯電話機２Ｂを受信側とすれば、位置情報通知の処理手順は、図７に示すように、圏外位置探索の設定モードか否かを判定し（ステップＳ２１）、その通信モード（通常の電話モード）であれば、探索モードに移行することなく、その処理を終了し、探索モードであれば、ＧＰＳ受信が正常であるか否かを判定する（ステップＳ２２）。
【００５５】
ＧＰＳ受信が異常であれば、この処理を終了し、正常であれば、受信タイミングであるか否かを判定し（ステップＳ２３）、受信タイミングの到来を待つ。受信タイミングが到来すれば（ステップＳ２３のＹＥＳ）、ＧＰＳ信号から共通チャネルの受信処理を行い（ステップＳ２４）、受信信号を共通チャネル信号により逆拡散し（ステップＳ２５）、受信信号から受信データを抽出して表示し、即ち、加入者番号と位置情報とを再生して表示する（ステップＳ２６）。
【００５６】
以上述べた通り、上記実施の形態によれば、次のような効果が得られる。
【００５７】
(1) ＧＰＳ受信機能を備えた携帯電話機２Ａ、２Ｂに位置情報通知機能が追加され、遭難位置や圏外位置等の位置情報を送信するための無線信号として、アッパーリンクとダウンリンクの双方で使うことのできる共通チャネル信号を複数の特定パターンで拡散して送受信し、基地局の機能を用いることなく、即ち、基地局を媒介とすることなく、ＧＰＳ信号及び拡散信号を用いた共通チャネル信号を利用し、遭難者や被災者等の位置の探索に用いることができる。
【００５８】
(2) 携帯電話機等の携帯端末装置の通信機能を拡大することができる。基地局電波を受信できない受信不能状態に陥った場合、例えば、地震により基地局の機能が損なわれた場合等、その基地局電波の受信不能状態を契機にして、ＧＰＳ信号から取得したタイミング信号を用いて送信側の位置情報を送信し又は受信することができる。基地局を媒介としない送受信により、送信側の位置を他の携帯端末装置に通知することができ、基地局の機能停止等の非常時に位置情報を通知できる。
【００５９】
(3) 基地局電波を受信できない圏外エリアで、位置情報を通知できる。携帯電話機等の携帯端末装置の通信機能を拡大することができる。基地局電波を受信できない圏外エリアに送信側が存在する場合等においても、その基地局電波の受信不能状態を契機にＧＰＳ信号から取得したタイミング信号を用いて基地局を媒介としない送受信により、送信側の位置を他の携帯端末装置に通知することができる。
【００６０】
(4) 携帯端末装置の通信機能の拡大により、基地局の機能停止等の非常時、被災者、遭難者等の位置を表す位置情報の通報等、位置探索や、緊急通信の迅速化を図ることができ、遭難者や被災者等の探索や迅速な救援に貢献することができる。
【００６１】
〔第３の実施の形態〕
【００６２】
第３の実施の形態について、図８を参照する。図８は、第３の実施の形態に係る遭難位置通知機能部の構成例を示す図である。図８に示す構成は一例であって、斯かる構成に本発明が限定されるものではない。図８において、図２と同一部分には同一符号を付してある。
【００６３】
この実施の形態の遭難位置通知機能部４Ｃでは、加入者番号１４に対応するパターンが予め作成されてメモリ４８（図４、図５）のデータ記憶部５２（図５）に格納されており、特定の加入者番号１４に応じたパターンがパターン読出し部５６から読み出される構成である。第２の実施の形態では、変換式に加入者番号１４を２５６（＝２8 ）で除算する除算式を用い、割った余りを求める方法を採用しているが、同様の変換式を用いて予めパターンを作成してもよいし、全く異なるパターン作成方式を用いてもよい。
【００６４】
そして、拡散パターン生成部８では、読み出されたパターンを用いて拡散パターンが生成され、この拡散パターンと、携帯電話機２Ａの加入者番号１４及び位置情報１６からなる送信データとが、無線部２８の拡散変調部１２に加えられ、拡散変調により送信信号１８が生成される。
【００６５】
次に、拡散パターンテーブルについて、図９を参照する。図９は、拡散パターンテーブルを示す図である。図９に示す構成は一例であって、斯かる構成に本発明が限定されるものではない。
【００６６】
この拡散パターンテーブル５８は、拡散パターンを格納するテーブルであって、既述のメモリ４８（図４、図５）のデータ記憶部５２（図５）に設定され、図９に示すように、この実施の形態では、拡散パターン０から拡散パターン２５５の２５６通りのパターンが設定されている。この拡散パターン０〜２５５は、加入者番号１４を２５６で割ったときの余りの値で参照される。
【００６７】
この第３の実施の形態においても、第１及び第２の実施の形態と同様の効果が得られる。
【００６８】
〔第４の実施の形態〕
【００６９】
次に、第４の実施の形態について、図１０、図１１、図１２及び図１３を参照する。図１０は、第４の実施の形態に係る遭難位置通知機能部の構成例を示す図、図１１は、遭難位置通知機能部のハードウェア構成を示す図、図１２は、携帯電話機の構成例を示す図、図１３は、携帯電話機の背面部を示す図である。図１０〜図１３に示す構成は一例であって、斯かる構成に本発明が限定されるものではない。図１０〜図１３において、図１〜図４、図８と同一部分には同一符号を付してある。
【００７０】
この実施の形態においても、既述の位置通知システム２０（図３）が構成され、携帯電話機２Ａ、２Ｂの基本構成は同一である。この実施の形態の遭難位置通知機能部４Ｄは、既述の遭難位置通知機能部４Ｂ（図４）に対応しており、図１０に示すように、ＧＰＳ受信部３４と、圏外位置通知部３６と、無線制御部４０と、表示制御部４２と、遭難位置通知ＳＷ判定部６０と、遭難信号生成部６２とを備えている。ＧＰＳ受信部３４、圏外位置通知部３６、無線制御部４０及び表示制御部４２は第２の実施の形態と同様であるので、その説明を省略する。
【００７１】
遭難位置通知ＳＷ判定部６０は、遭難位置通知スイッチ（ＳＷ）６４によって設定されるモードを判定する手段の一例である。遭難位置通知ＳＷ６４はユーザにより操作され、モード設定手段の一例であって、この遭難位置通知ＳＷ６４により遭難位置通知モードが設定される。
【００７２】
遭難信号生成部６２は、送信信号の生成手段の一例であって、既述の通り、加入者番号１４と位置情報１６とを送信データとし、この送信データを拡散パターンで拡散変調することにより送信信号が生成される。
【００７３】
この位置情報通知機能を備える携帯電話機２Ａ、２Ｂは、図１１に示すように、ＧＰＳ受信機２６と、無線部２８と、表示部３０と、ＣＰＵ４６と、メモリ４８と、遭難位置通知ＳＷ６４とを含むハードウェア構成を備える。ＧＰＳ受信機２６、無線部２８及び表示部３０は既述の構成と同様であり、既述のＧＰＳ受信部３４、圏外位置通知部３６、無線制御部４０、表示制御部４２、遭難位置通知ＳＷ判定部６０及び遭難信号生成部６２がＣＰＵ４６及びメモリ４８により構成される。そして、メモリ４８は、図５に示すように、プログラム記憶部５０、データ記憶部５２及びＲＡＭ５４を備え、データ記憶部５２には既述の拡散パターンテーブル５８（図９）が設定されている。
【００７４】
そして、携帯電話機２Ａ、２Ｂは、図１２に示すように、第１の筐体部７２と、第２の筐体部７４とをヒンジ部７６を以て連結して開閉可能に構成し、筐体部７２には情報入力手段としての操作入力部７８やマイクロフォン８０が設置され、筐体部７４には表示部３０、レシーバ８２が設置されている。また、筐体部７４の背面部には図１３に示すように、既述の遭難位置通知ＳＷ６４が設置され、この実施の形態では、スライドボタン８４を左右にスライドさせてモードを設定することができるスライドスイッチで構成されている。
【００７５】
次に、位置情報通知の処理について、図１４を参照する。図１４は、送信側携帯電話機の位置情報通知の処理手順を示すフローチャートである。図１４に示す処理は一例であって、斯かる処理に本発明が限定されるものではない。
【００７６】
携帯電話機２Ａを送信側とすれば、位置情報通知の処理手順は、図１４に示すように、遭難位置通知モードに移行すると、遭難位置通知ＳＷ６４がＯＮか否かを判定し（ステップＳ３１）、遭難位置通知ＳＷ６４がＯＦＦであれば、この処理を終了し、ＯＮであれば、基地局受信レベルが０であるか否かを判定し（ステップＳ３２）、０でなければ（≠０）、この処理を終了する。基地局受信レベルが０であれば（＝０）、ＧＰＳ受信が正常であるか否かを判定し（ステップＳ３３）、ＧＰＳ受信が異常であれば、この処理を終了し、正常であれば、受信したＧＰＳ信号から位置情報を取得する（ステップＳ３４）。このＧＰＳ信号の受信を契機に、送信データの生成を行い（ステップＳ３５）、この送信データは既述の通り、加入者番号１４と位置情報１６とから生成される。この送信データの生成の後、拡散パターンを設定し（ステップＳ３６）、送信タイミングの到来を判定する（ステップＳ３７）。
【００７７】
送信タイミングが到来すれば（ステップＳ３７のＹＥＳ）、共通チャネル信号を用いることにより、共通チャネル送信を行う（ステップＳ３８）。この共通チャネル送信は、送信タイミングの到来の度に繰り返し実行し、これにより、例えば、遭難者の位置を連続的に送信する。
【００７８】
次に、位置情報通知の処理について、図１５を参照する。図１５は、受信側携帯電話機の位置情報通知の処理手順を示すフローチャートである。図１５に示す処理は一例であって、斯かる処理に本発明が限定されるものではない。
【００７９】
また、携帯電話機２Ｂを受信側とすれば、位置情報通知の処理手順は、図１５に示すように、遭難位置探索の設定モードか否かを判定し（ステップＳ４１）、その通信モード（通常の電話モード）であれば、探索モードに移行することなく、その処理を終了し、探索モードであれば、ＧＰＳ受信が正常であるか否かを判定する（ステップＳ４２）。
【００８０】
ＧＰＳ受信が異常であれば、この処理を終了し、正常であれば、受信タイミングであるか否かを判定し（ステップＳ４３）、受信タイミングの到来を待つ。受信タイミングが到来すれば（ステップＳ４３のＹＥＳ）、ＧＰＳ信号から共通チャネルの受信処理を行い（ステップＳ４４）、受信信号を共通チャネル信号により逆拡散し（ステップＳ４５）、受信信号から受信データを抽出して表示し、即ち、加入者番号と位置情報とを再生して表示する（ステップＳ４６）。
【００８１】
次に、携帯電話機２Ａ、２Ｂ間の通信について、図１６を参照する。図１６は、携帯電話機からの通話の処理シーケンスを示すフローチャートである。図１６に示す処理は一例であって、斯かる処理に本発明が限定されるものではない。
【００８２】
この処理シーケンスは、遭難者が携帯する携帯電話機２Ａから遭難信号が送信された際に、携帯電話機２Ｂでその遭難信号を受信する際の処理手順であって、位置通知方法又は位置通知プログラムの一例である。
【００８３】
この場合、送信側の携帯電話機２Ａでは、ＧＰＳ基準タイミングを送信タイミングの基準タイミングＴ0 として設定すれば（ステップＳ５１）、遭難位置通知用の送信データの生成が実行される（ステップＳ５２）。この送信データの生成に対応し、送信用拡散パターンの読み出しが行われ（ステップＳ５３）、送信データを送信するための共通チャネル送信用拡散信号が生成され（ステップＳ５４）、ＧＰＳ信号による送信タイミングの到来を判定する（ステップＳ５５）。送信タイミングとして例えば、基準タイミングＴ0 からの一定タイミングとして例えば、６０〔秒〕間隔で行い、この送信タイミングが到来すれば（ステップＳ５５のＹＥＳ）、共通周波数ｆ0 で拡散信号が携帯電話機２Ａから一定時間として例えば、１〔秒〕間、送信される（ステップＳ５６）。
【００８４】
これに対し、受信側の携帯電話機２Ｂでは、遭難位置通知ＳＷ６４が遭難位置通知モードに設定されていることが必要である。そこで、遭難位置通知モードに設定されていれば、ＧＰＳ基準タイミングを受信タイミングの基準タイミングＴ0 として設定され（ステップＳ６１）、受信タイミングの到来を判定する（ステップＳ６２）。送信タイミングと受信タイミングとはＧＰＳ信号の共通チャネル信号を用いているので同一である。この受信タイミングとして例えば、基準タイミングＴ0 からの一定タイミングとして例えば、６０〔秒〕間隔で行い、この受信タイミングが到来すると（ステップＳ６２のＹＥＳ）、送信側のステップＳ５６に対応し、共通周波数ｆ0 で信号を受信すれば（ステップＳ６３）、この受信信号が拡散パターンで逆拡散が行われ（ステップＳ６４）、携帯電話機２Ａから送信された送信データである受信データが表示部３０に表示される（ステップＳ６５）。なお、ステップＳ５１、Ｓ５５、Ｓ６１、Ｓ６２の基準タイミングＴ0 は既述のタイミング信号Ｔｓ（図１）に対応する。
【００８５】
この第４の実施の形態においても、第１及び第２の実施の形態と同様の効果が得られる。
【００８６】
〔他の実施の形態〕
【００８７】
(1) 上記実施の形態では、携帯電話機２Ａ、２Ｂを例示したが、他の携帯端末装置としては図１７に示すように、携帯情報端末機（ＰＤＡ：Personal Digital Assistant）や図示しないパーソナルコンピュータ（ＰＣ）であってもよい。ＰＤＡ９０では、図１７に示すように、本体部９２に操作入力部９４や表示部９６を備え、その前面部に遭難位置通知ＳＷ６４を設置してもよい。
【００８８】
(2) 上記実施の形態では、位置通知システムとして２つの携帯電話機２Ａ、２Ｂを例示したが、３以上の携帯電話機等の携帯端末装置を用いた位置情報の送受が行え、遭難者や被災者の位置の特定等に広く活用することができる。
【００８９】
(3) 上記実施の形態では、ＧＰＳ信号からタイミング信号を取得しているが、タイミング信号源にはＧＰＳ信号以外の情報信号源等を用いてもよい。
【００９０】
(4) 上記実施の形態では、拡散パターンの生成に加入者番号を２５６で除算することを例示したが、拡散パターンの生成には加入者番号を除算する係数は２５６以外の数でもよく、また、加入者番号に限定されることなく、機器番号等の任意の識別番号を用いてもよい。
【００９１】
次に、以上述べた実施の形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【００９２】
（付記１）  基地局を媒介とした電話機能を備える携帯端末装置であって、
ＧＰＳ（Global Positioning System ）信号を受信するＧＰＳ受信手段と、
基地局電波の受信不能状態を検知する基地局電波検知手段と、
前記基地局電波の受信不能状態を検知したことに基づき、前記ＧＰＳ信号から取得したタイミング信号を用いて送信側の位置情報を送信し又は受信する通信手段と、
を備えることを特徴とする携帯端末装置。
【００９３】
（付記２）  前記通信手段は、前記タイミング信号を複数の特定パターンで拡散する拡散手段を備えることを特徴とする請求項１記載の携帯端末装置。
【００９４】
（付記３）  前記通信手段は、前記位置情報と前記携帯端末装置を表す識別情報とを送信情報とすることを特徴とする請求項１記載の携帯端末装置。
【００９５】
（付記４）  前記通信手段が送信する前記位置情報、又は前記通信手段が受信した前記位置情報を表示する表示手段を備えることを特徴とする付記１記載の携帯端末装置。
【００９６】
（付記５）  前記通信手段から送信される前記位置情報、又は前記通信手段で受信された前記位置情報を表示する表示手段を備えることを特徴とする付記１記載の携帯端末装置。
【００９７】
（付記６）  前記基地局電波の受信不能状態を検知したことを契機に前記位置情報を送信又は／及び受信するための動作モードを設定するモード設定手段を備えることを特徴とする付記１記載の携帯端末装置。
【００９８】
（付記７）  基地局を媒介とした電話機能を備える携帯端末装置を用いた位置通知方法であって、
ＧＰＳ信号を受信するステップと、
基地局電波の受信不能状態を検知するステップと、
前記基地局電波の受信不能状態を検知したことに基づき、前記ＧＰＳ信号から取得したタイミング信号を用いて送信側の位置情報を送信し又は受信するステップと、
を含むことを特徴とする位置通知方法。
【００９９】
（付記８）  基地局を媒介とした電話機能を備え、コンピュータを搭載した携帯端末装置を用いる位置通知プログラムであって、
ＧＰＳ信号の受信を実行させる機能と、
基地局電波の受信不能状態の検知を実行させる機能と、
前記基地局電波の受信不能状態を検知したことに基づき、前記ＧＰＳ信号から取得したタイミング信号を用いて送信側の位置情報を送信又は受信を実行させる機能と、
を前記コンピュータに実行させることを特徴とする位置通知プログラム。
【０１００】
（付記９）  基地局を媒介とした電話機能を備える携帯端末装置を送信手段及び受信手段に用いた位置通知システムであって、
前記送信手段が、基地局電波の受信不能状態を検知したことに基づき、ＧＰＳ信号から取得したタイミング信号を用いて送信側の位置情報を送信し、前記受信手段が、前記送信手段から送信された位置情報信号を受信し、前記ＧＰＳ信号から取得したタイミング信号を用いることにより、前記位置情報を再生することを特徴とする位置通知システム。
【０１０１】
以上説明したように、携帯端末装置、位置通知方法及び位置通知プログラムの好ましい実施の形態等について説明したが、本発明は、上記記載に限定されるものではなく、特許請求の範囲に記載され、又は発明を実施するための最良の形態に開示された発明の要旨に基づき、当業者において様々な変形や変更が可能であることは勿論であり、斯かる変形や変更が、本発明の範囲に含まれることは言うまでもない。
【産業上の利用可能性】
【０１０２】
本開示の携帯端末装置、位置通知方法及び位置通知プログラムは、基地局から送信される基地局電波が受信できない場合を契機に、基地局を媒介としない通信として、ＧＰＳ信号から取得したタイミング信号を用いて送信側の位置情報を送信又は受信することにより、送信側の位置を通知することができる。地震等により基地局の機能が停止した場合や、圏外エリアに携帯端末装置がある場合、その位置を他の携帯電話機等の携帯端末装置に通知でき、遭難者や被災者等の探索や迅速な救援の迅速化に寄与することができ、有用である。
【図面の簡単な説明】
【０１０３】
【図１】第１の実施の形態に係るＧＰＳ信号、送信信号及び受信信号を示す図である。
【図２】遭難位置通知機能部の構成例を示す図である。
【図３】第２の実施の形態に係る位置通知システムを示す図である。
【図４】遭難位置通知機能部の構成例を示す図である。
【図５】メモリの構成例を示す図である。
【図６】送信側携帯電話機の位置情報通知の処理手順を示すフローチャートである。
【図７】受信側携帯電話機の位置情報通知の処理手順を示すフローチャートである。
【図８】第３の実施の形態に係る遭難位置通知機能部の構成例を示す図である。
【図９】拡散パターンテーブルを示す図である。
【図１０】第４の実施の形態に係る遭難位置通知機能部の構成例を示す図である。
【図１１】遭難位置通知機能部のハードウェア構成を示す図である。
【図１２】携帯電話機の構成例を示す図である。
【図１３】携帯電話機の背面部を示す図である。
【図１４】送信側携帯電話機の位置情報通知の処理手順を示すフローチャートである。
【図１５】受信側携帯電話機の位置情報通知の処理手順を示すフローチャートである。
【図１６】携帯電話機からの通話の処理シーケンスを示すフローチャートである。
【図１７】他の実施の形態に係るＰＤＡを示す図である。
【符号の説明】
【０１０４】
２Ａ、２Ｂ  携帯電話機
４Ａ、４Ｂ、４Ｃ  遭難位置通知機能部
６  変換部
８  拡散パターン生成部
１０  送信データ生成部
１２  拡散変調部
１４  加入者番号
１６  位置情報
１８  送信信号
２０  位置通知システム
２２  ＧＰＳ衛星
２４  基地局
２６  ＧＰＳ受信機
２８  無線部
３０  表示部
３２  アンテナ
３４  ＧＰＳ受信部
３６  圏外位置通知部
３８  モード判定部
４０  無線制御部
４２  表示制御部
４４  モード設定入力部
４６  ＣＰＵ
４８  メモリ
５０  プログラム記憶部
５２  データ記憶部
５４  ＲＡＭ
５６  パターン読出し部
５８  拡散パターンテーブル
６０  遭難位置通知ＳＷ判定部
６２  遭難信号生成部
６４  遭難位置通知ＳＷ
７２  第１の筐体部
７４  第２の筐体部
７６  ヒンジ部
７８  操作入力部
８０  マイクロフォン
８２  レシーバ
８４  スライドボタン
【図１】
2010135908.tif 000003
【図２】
2010135908.tif 000004
【図３】
2010135908.tif 000005
【図４】
2010135908.tif 000006
【図５】
2010135908.tif 000007
【図６】
2010135908.tif 000008
【図７】
2010135908.tif 000009
【図８】
2010135908.tif 000010
【図９】
2010135908.tif 000011
【図１０】
2010135908.tif 000012
【図１１】
2010135908.tif 000013
【図１２】
2010135908.tif 000014
【図１３】
2010135908.tif 000015
【図１４】
2010135908.tif 000016
【図１５】
2010135908.tif 000017
【図１６】
2010135908.tif 000018
【図１７】
2010135908.tif 000019